(57)【要約】【課題】  ペット用給水器の出水及び止水装置の提供。【解決手段】  水を容れる容器を具え、該容器の下方に出水管が設けられ、該出水管の末端に螺設方式で飲水管が接続され、該飲水管がビーズ及び止水パッキングの接触或いは非接触により出水と止水の動作を行なうペット用給水器の出水及び止水装置において、該飲水管内側面が平直状とされ、飲水管の下端近くの出水口部分に凹環が設けられ、該凹環に止水パッキングが設けられ、該止水パッキングの内側面上半部が円弧形状の内周とされ、下半部が平直状の内側口とされ、これにより飲水管内に錐環面及びフランジを製造せずに、止水パッキングの内周を利用してビーズを回転させ、止水パッキングの平直状の内側口をビーズに接触させて止水し、水の流れを阻止せず、また確実に水漏れを防止できるよう形成されたことを特徴とする。【選択図】        図４
0003105748.tif 000002
【実用新案登録請求の範囲】
【請求項１】
水を収容する容器を具え、該容器の下方に出水管があり、該出水管の末端に別に螺設方式で飲水管が設けられ、該飲水管に設けられたビーズと止水パッキングが接触するか非接触かにより出水と止水の動作を行なうよう形成されたペット用給水器の出水及び止水装置において、
該飲水管の内側面が平直状とされ、飲水管後端近くの出水口部分に凹環が設けられ、該凹環に止水パッキングが位置決めされ、該止水パッキングの内側上半部が円弧状の内側面とされ、下半部が平直状の内側口とされ、これにより、飲水管内に錐環面及び凸環が非形成で、止水パッキングの内側面を利用してビーズが回転可能とされ、止水パッキングの平直状の内側口がビーズに接触して止水し、止水を妨害せず確実な止水を行ない漏水を防止したことを特徴とする、ペット用給水器の出水及び止水装置。
【請求項２】
請求項１記載のペット用給水器の出水及び止水装置において、飲水管の下端の出水口の内側面が円弧面とされてビーズと接合し、不純物や飼料のその間への引っ掛かりを防止し、並びに第２の止水構造とされたことを特徴とする、ペット用給水器の出水及び止水装置。
【考案の詳細な説明】
【技術分野】
【０００１】
本考案はペット用給水器に係り、特に、出水と確実な止水動作が可能なペット用給水器の出水及び止水装置に関する。
【背景技術】
【０００２】
周知のように、ペット用給水器の出水及び止水装置は、水を容れた容器の下方より水を導入する飲水管を具え、飲水管の末端にビーズが取り付けられ、ビーズと止水パッキングの接触と非接触により出水と止水の動作を行ない、即ち、ペットがビーズを舐めて、ビーズが上に移動して止水パッキングとの接触を離脱すると、水が飲水管より流出し、ペットがビーズを舐めるのを止めると、水は流れなくなる。しかし止水パッキングと飲水管の構造には十分にペットに給水できないものや、更に確実に止水できず、水漏れ現象を発生するものがある。
【０００３】
図１は特許文献１のペット用給水器の止水装置を示す。それは飲水管１０に錐環面１１が設けられ、止水パッキング１２もまた錐環状とされビーズ１３と錐環状の止水パッキング１２の接触により止水を行なう。しかし止水パッキング１２の錐環斜面とビーズ１３の接触面積が大きいために、ビーズ１３と止水パッキング１２が引っかかる現象を発生し、ペットがビーズ１３を舐める時、出水が困難であり、且つ飲水管１０は２段式の下方錐環面１１と上方錐環面１４に分けられている。
【０００４】
図２は別の周知のペット用給水器の飲水管２０であり、該飲水管２０内に円弧形内縁２１と凹環溝２２があり、凹環溝２２内にＯリング２３が置かれ、円弧状内縁２１の末端はＯリング２３より突出している。このため、止水効果が非常に低く、ビーズ２４がＯリング２３と接触できず、確実な止水が行なえず、更に飲水管２０の末端内は平直状の出水口２５とされ、出水口２５もまたビーズ２４と密接に接合できず、且つペットが舐める時、不純物や飼料が出水口２５の間隙中に引っ掛かりやすい。
【０００５】
図３は更に別の周知のペット用給水器の飲水管３０を示し、それは、飲水管３０内にフランジ３１と凹環３２が設けられ、該凹環３２内のＯリング３３が置かれ、且つ出水口３４は平直状とされ、即ち上述の図２の周知の技術と同じ欠点を有し、止水が不確実で、且つ不純物或いは飼料が出水口３４の間隙に引っ掛かりやすく、該飲水管３０の内側は平直状とされて円弧内縁或いは錐環面ではないが、フランジ３１の設置が止水の機能を妨害する。
【０００６】
【特許文献１】実用新案登録第３０９３８６９号明細書
【考案の開示】
【考案が解決しようとする課題】
【０００７】
本考案は一種のペット用給水器の出水及び止水装置を提供することを目的とし、それは飲水管の平直状の内側に、円弧形内縁、錐環面、及びフランジのいずれも設置されず、ビーズを確実に止水パッキングと接触させて、止水動作を行なえるものとする。
【０００８】
本考案はまた一種のペット用給水器の出水及び止水装置を提供することを目的とし、それは、円弧状内側面及び平直状内側口の止水パッキングを、飲水管の円弧形内側面、フランジの代わりに採用し、ビーズが直接止水パッキングの円弧状内側面部分で回転し、平直状の内側口と接触し、確実な止水作用を達成できるものとする。
【０００９】
本考案は更にまた一種のペット用給水器の出水及び止水装置を提供することを目的とし、それは、飲水管の出水口内側面が円弧面とされ、ビーズは出水口の円弧面と接合可能で、その間に不純物や飼料が引っかかることがなく、第２の止水構造とされたものとする。
【課題を解決するための手段】
【００１０】
請求項１の考案は、水を収容する容器を具え、該容器の下方に出水管があり、該出水管の末端に別に螺設方式で飲水管が設けられ、該飲水管に設けられたビーズと止水パッキングが接触するか非接触かにより出水と止水の動作を行なうよう形成されたペット用給水器の出水及び止水装置において、
該飲水管の内側面が平直状とされ、飲水管後端近くの出水口部分に凹環が設けられ、該凹環に止水パッキングが位置決めされ、該止水パッキングの内側上半部が円弧状の内側面とされ、下半部が平直状の内側口とされ、これにより、飲水管内に錐環面及び凸環が非形成で、止水パッキングの内側面を利用してビーズが回転可能とされ、止水パッキングの平直状の内側口がビーズに接触して止水し、止水を妨害せず確実な止水を行ない漏水を防止したことを特徴とする、ペット用給水器の出水及び止水装置としている。
請求項２の考案は、請求項１記載のペット用給水器の出水及び止水装置において、飲水管の下端の出水口の内側面が円弧面とされてビーズと接合し、不純物や飼料のその間への引っ掛かりを防止し、並びに第２の止水構造とされたことを特徴とする、ペット用給水器の出水及び止水装置としている。
【考案の効果】
【００１１】
本考案のペット用給水器の出水及び止水装置によると、飲水管の平直状の内側に、円弧形内縁、錐環面、及びフランジのいずれも設置されず、ビーズを確実に止水パッキングと接触させて、止水動作を行なえる。
【００１２】
本考案のペット用給水器の出水及び止水装置によると、円弧状内側面及び平直状内側口の止水パッキングを、飲水管の円弧形内側面、フランジの代わりに採用し、ビーズが直接止水パッキングの円弧状内側面部分で回転し、平直状の内側口と接触し、確実な止水作用を達成できる。
【００１３】
本考案のペット用給水器の出水及び止水装置によると、飲水管の出水口内側面が円弧面とされ、ビーズは出水口の円弧面と接合可能で、その間に不純物や飼料が引っかかることがなく、第２の止水構造とされている。
【考案を実施するための最良の形態】
【００１４】
図４、５、６、７に示されるように、本考案のペット用給水器の出水及び止水装置は、容器４０の下方に設けられた出水管４１を具え、出水管４１の下方にネジ山４１１があり、飲水管５０の雌ネジ５０１との螺設に供され、該出水管４１の飲水管５０の端部との接合部分にＯリング５３が設けられ、該容器４０内に水が容れられ、出水管４１より排出され、出水管４１の下方の飲水管５０が出水と止水の動作を行なう。該飲水管５０の内側面５０２には雌ネジ５０１が設けられている部分以外は平直状とされ、下端の出水口５０３内縁は円弧面とされ、並びに出水口５０３の上方に環形の凹環５０４があり、該凹環５０４内に止水パッキング５１が位置決めされ、該止水パッキング５１の内側面上半部は円弧状の内側面５１１とされ、下半部は平直状の内側口５１２とされている。該止水パッキング５１の円弧状の内側面５１１はビーズ５２の上下回転に供され、止水パッキング５１の平直状の内側口５１２はビーズ５２との接触に供されて止水作用を形成する。該飲水管５０の出水口５０３は円弧面とされ、ビーズ５２と当接し、不純物や飼料のその間の引っ掛かりを防止し、並びに第２の止水構造とされている。
【００１５】
上述の構造が組み合わされてなる本考案のペット用給水器の出水及び止水装置は、ペットが飲水管５０のビーズ５２を舐める時、図７に示されるようにビーズ５２が上に移動し、ビーズ５２と止水パッキング５１の平直状の内側口５１２が離脱し、ビーズ５２が止水パッキング５１の円弧形状の内側面５１１に移動し、容器４０内より水が出水管４１を通り飲水管５０に流れてペットの飲用に供される。ペットが飲水管５０のビーズ５２を舐めるのを止めると、ビーズ５２自身の重量と水流の水圧により、ビーズ５２が止水パッキング５１の円弧状の内側面５１１に沿って転がり落ち、止水パッキング５１の平直状の内側口５１２に至り、ビーズ５２と止水パッキング５１の平直状の内側口５１２が接触し、並びにビーズ５２と飲水管５０末端の出水口５０３の内側が接合し、確実な止水作業が達成され、進水の状況が出現しうる。
【００１６】
第２実施例は、図８、９に示されるように、その構造は上述の実施例と同様であり、止水パッキング５１’外周に凸環５１３’が設けられ、該凸環５１３’もまた飲水管５０の凹環５０４内側と接合し、製造と組合せに便利であり、同様に、上述の機能と目的を達成する。
【００１７】
本発明の飲水管５０内には第１錐環面、第２錐環面が形成されず、また凸環も形成されず、凸環は却ってビーズと止水パッキングの接触を形成するため、飲水管内側面は平直状とされ、ビーズ５２が下降して止水パッキング５１（５１’）に接触する動作を妨害しないものとされ、且つ止水パッキング５１（５１’）は大幅に改良され、完全に周知の止水パッキングの構造の欠点を排除している。本考案の止水パッキング５１（５１’）は平直状の内側口５１２（５１２’）がビーズ５２との良好な接触を提供し正確に止水し、また止水パッキング５１（５１’）の円弧状の内側面５１１（５１１’）がビーズ５２を順調に内側口５１２（５１２’）に案内する構造を提供し、且つ飲水管５０の出水口５０３が円弧面とされ、第２の止水作用を提供する。（本考案の出水口５０３もまた平直面とされて止水作用を有する）。
【００１８】
総合すると、本考案は止水パッキング５１（５１’）の小さい接触面がビーズ５２と確実に接触し止水作用を達成し、並びに飲水管５０の平直状の内側面５１１は周知の技術との構造とは明らかに異なり、実用性と進歩性を具えている。
【図面の簡単な説明】
【００１９】
【図１】周知の飲水管の第１実施例の断面図である。
【図２】周知の飲水管の第２実施例の断面図である。
【図３】周知の飲水管の第３実施例の断面図である。
【図４】本考案の立体分解図である。
【図５】本考案の断面図である。
【図６】本考案の飲水管の断面図である。
【図７】本考案の飲水状態の断面図である。
【図８】本考案の別の実施例の立体分解図である。
【図９】本考案の別の実施例の飲水管の断面図である。
【符号の説明】
【００２０】
４０  容器
４１  出水管
４１１  ネジ山
５０  飲水管
５０１  雌ネジ
５０２  内側面
５０３  出水口
５０４  凹環
５１、５１’  止水パッキング
５１１、５１１’  内側面
５１２、５１２’  内側口
５１３’  凸環
５３  Ｏリング
【図１】
0003105748.tif 000003
【図２】
0003105748.tif 000004
【図３】
0003105748.tif 000005
【図４】
0003105748.tif 000006
【図５】
0003105748.tif 000007
【図６】
0003105748.tif 000008
【図７】
0003105748.tif 000009
【図８】
0003105748.tif 000010
【図９】
0003105748.tif 000011